(57)【要約】【課題】電池収納部等の開口部に着脱可能に装着される電池蓋等の蓋部材を備える本体に対し、開口部及び蓋部材を利用して保護カバーを取り付けて、保護カバーを装着しない状態でも本体の外観が低下しないようにする。【解決手段】開口部２５に着脱可能に装着される蓋部材５を備える本体１に対する保護カバー７の取付構造であって、蓋部材５より外形が小さい第２蓋部材６を開口部２５に着脱可能に取り付け、開口部２５に取り付けた第２蓋部材６と開口部２５との間に形成される第２開口部２６を利用して保護カバー７を着脱可能に取り付ける。具体的には、開口部２５の内方に、第２蓋部材６を着脱可能に固定する固定部２４が設けられ、第２蓋部材６に、固定部２４に着脱可能に取り付ける取付部６４が設けられて、保護カバー７に、第２開口部２６に対し着脱可能に取り付ける取付部８１・８２が設けられている。【選択図】図１０
2015118508.tif 000002
【特許請求の範囲】
【請求項１】
開口部に着脱可能に装着される蓋部材を備える本体に対する保護カバーの取付構造であって、
前記蓋部材より外形が小さい第２蓋部材を前記開口部に着脱可能に取り付け、
前記開口部に取り付けた前記第２蓋部材と前記開口部との間に形成される第２開口部を利用して前記保護カバーを着脱可能に取り付けることを特徴とする保護カバーの取付構造。
【請求項２】
開口部に着脱可能に装着される蓋部材を備える本体に対し取り付けられる保護カバーであって、
前記開口部に着脱可能に取り付けられた前記蓋部材より外形が小さい第２蓋部材と前記開口部との間に形成される第２開口部を利用して着脱可能に取り付けられることを特徴とする保護カバー。
【請求項３】
本体の開口部に着脱可能に装着される蓋部材より外形が小さくて、前記開口部に着脱可能に取り付けられ、且つ取り付けた状態で前記開口部との間に第２開口部を形成することを特徴とする蓋部材。
【請求項４】
開口部を有する本体と、
前記開口部に着脱可能に装着される蓋部材と、
前記蓋部材より外形が小さくて、前記開口部に着脱可能に取り付けられる第２蓋部材と、
前記開口部に取り付けた前記第２蓋部材と前記開口部との間に形成される第２開口部を利用して着脱可能に取り付けられる前記保護カバーと、を備えることを特徴とする電子機器。
【請求項５】
前記開口部の内方に、前記第２蓋部材を着脱可能に固定する固定部が設けられていることを特徴とする請求項１に記載の保護カバーの取付構造、または請求項４に記載の電子機器。
【請求項６】
前記第２蓋部材に、前記固定部に着脱可能に取り付ける取付部が設けられていることを特徴とする請求項５に記載の保護カバーの取付構造、または電子機器。
【請求項７】
前記保護カバーに、前記第２開口部に対し着脱可能に取り付ける取付部が設けられていることを特徴とする請求項１に記載の保護カバーの取付構造、または請求項２に記載の保護カバー。
【請求項８】
前記取付部は、前記第２開口部を形成する前記第２蓋部材と前記開口部の各々の端部にそれぞれ係止するフックであることを特徴とする請求項７に記載の保護カバーの取付構造、または保護カバー。
【請求項９】
前記第２開口部に対し着脱可能に取り付ける取付部が設けられていることを特徴とする請求項２に記載の保護カバー、または請求項４に記載の電子機器。
【請求項１０】
前記取付部は、前記第２開口部を形成する前記第２蓋部材と前記開口部の各々の端部にそれぞれ係止するフックであることを特徴とする請求項９に記載の保護カバー、または電子機器。
【請求項１１】
前記開口部の内方に設けられた固定部に着脱可能に取り付ける取付部が設けられていることを特徴とする請求項３に記載の蓋部材。
【発明の詳細な説明】
【技術分野】
【０００１】
本発明は、電子機器等の本体に装着される保護カバーの取付構造と、その取付構造により本体に装着される保護カバーと、その保護カバーと関連して本体に装着される蓋部材と、そのような保護カバー及び蓋部材が装着可能な本体を備える電子機器に関する。
【背景技術】
【０００２】
ノートパソコンを保護する保護カバーの取付構造として、筐体底面に形成した位置決め穴に、保護カバーに設けた突起部材を挿入して係止する構造が特許文献１に開示される。
【先行技術文献】
【特許文献】
【０００３】
【特許文献１】特開２０１２−７８９４４号公報
【発明の概要】
【発明が解決しようとする課題】
【０００４】
しかし、特許文献１の取付構造では、保護カバーに設けた突起部材を挿入して係止するための位置決め穴を筐体底面に形成しておく必要があり、保護カバーを装着しない状態では、筐体底面に位置決め穴が露出して、外観が低下してしまう。
【０００５】
本発明の課題は、電池収納部等の開口部に着脱可能に装着される電池蓋等の蓋部材を備える本体に対し、開口部及び蓋部材を利用して保護カバーを取り付けて、保護カバーを装着しない状態でも本体の外観が低下しないようにすることである。
【課題を解決するための手段】
【０００６】
以上の課題を解決するため、本発明は、
開口部に着脱可能に装着される蓋部材を備える本体に対する保護カバーの取付構造であって、
前記蓋部材より外形が小さい第２蓋部材を前記開口部に着脱可能に取り付け、
前記開口部に取り付けた前記第２蓋部材と前記開口部との間に形成される第２開口部を利用して前記保護カバーを着脱可能に取り付けることを特徴とする。
【発明の効果】
【０００７】
本発明によれば、本体の開口部及び蓋部材を利用して保護カバーを取り付けることができるので、保護カバーを装着しない状態でも本体の外観が低下しない。
【図面の簡単な説明】
【０００８】
【図１】本発明を適用した電子機器の一実施形態の構成を示すもので、電子辞書の蓋部材を外した状態を示した底面図である。
【図２】図１の本体開口部に通常の蓋部材を装着した状態を示した図である。
【図３】図２の縦断側面図である。
【図４】図３の蓋部材装着部分の拡大図である。
【図５】図１の本体開口部に保護カバー装着用の第２蓋部材を装着した状態を示した図である。
【図６】図５の縦断側面図である。
【図７】図６の第２蓋部材装着部分の拡大図である。
【図８】図５の本体底面に装着する保護カバーを示す底面図（ａ）とその縦断側面図（ｂ）である。
【図９】図６の本体底面に保護カバーを装着した状態を示した図である。
【図１０】図９の第２蓋部材装着部分の拡大図である。
【発明を実施するための形態】
【０００９】
以下、図を参照して本発明を実施するための形態を詳細に説明する。
（実施形態）
図１から図３は本発明を適用した電子機器の一実施形態の構成として電子辞書を示すもので、１は機器本体、２は下ケース、３は上ケース、４はヒンジ部、５は電池蓋である。
【００１０】
図示のように、機器本体１は、下ケース２と上ケース３を左右一対のヒンジ部４で折り畳み可能に結合したものである。
下ケース２内には、両ヒンジ部４間に電池収納部２１が形成されて、さらに、電池収納部２１と平行に浅い凹部２２が形成されている。
【００１１】
そして、下ケース２の底面には、電池収納部２１及び凹部２２を含んで大きく開口する開口部２５が形成されている。この開口部２５には、電池収納部２１及び凹部２２を覆う電池蓋５が着脱可能に装着される。
凹部２２には、開口部２５縁に沿って左右一対の電池蓋固定穴２３が形成されて、電池収納部２１縁に沿って左右一対の第２電池蓋固定穴２４が形成されている。
【００１２】
電池蓋５は、外面に左右一対の足部５１を有し、一方の長辺部に沿って内方に突出する左右一対の取付爪５３を有している。
この電池蓋５は、一方の長辺部の左右の取付爪５３を、図４にも拡大して示すように、下ケース２底面の凹部２２の開口部２５縁に沿った電池蓋固定穴２３にそれぞれ挿入して係止させる。そして、他方の長辺部を、電池収納部２１の開口部２５縁に沿って当接させて、開口部２５に装着する。
【００１３】
次に、図５及び図６は下ケース２の開口部２５に保護カバー装着用の第２電池蓋６を装着した状態を示している。
【００１４】
図示のように、第２電池蓋６は、前記電池蓋５より外形（前後幅）が小さく、外面に左右一対の足部６１を有し、一方の長辺部に沿って内方に突出する左右一対の取付爪６４を有している。
この第２電池蓋６を前記開口部２５に装着した状態で、図示のように、第２電池蓋６により電池収納部２１のみが覆われて、その第２電池蓋６と開口部２５の凹部２２縁との間には、第２開口部２６が形成される。
【００１５】
この第２電池蓋６は、一方の長辺部の左右の取付爪６４を、図７にも拡大して示すように、下ケース２底面の凹部２２の電池収納部２１縁に沿った第２電池蓋固定穴２４にそれぞれ挿入して係止させる。そして、他方の長辺部を、電池収納部２１の開口部２５縁に沿って当接させて、開口部２５に装着する。
この状態で、第２電池蓋６と開口部２５の凹部２２縁との間に、図示のように、第２開口部２６が形成されている。
【００１６】
次に、図８は下ケース２底面に装着する保護カバー７の取り付け部を示している。保護カバー７は、折り畳み式の電子機器本体１の下ケース２と上ケース３とヒンジ部４を外側から覆って保護するためのものであり、上下ケースに対応するハードカバー部とヒンジ部に対応するソフトカバー部とで構成される。図８は、下ケースに対応するハードカバー部を示している。
【００１７】
図示のように、保護カバー７の内面には、横長板状のフックプレート８が一体化されている。
このフックプレート８には、中央部に上下一対の取付フック８１が突出して形成されて、左右にも上下一対の取付フック８２がそれぞれ突出して形成されている。
【００１８】
次に、図９は下ケース２底面に保護カバー７を装着した状態を示している。
【００１９】
図示のように、開口部２５及び第２開口部２６の凹部２２縁に沿って、その中央部と左右に保護カバー固定穴２８がそれぞれ形成されている。
【００２０】
保護カバー７は、図１０にも拡大して示すように、中央部及び左右の取付フック８１・８２を、第２電池蓋６の端縁にそれぞれ挿入して係止させると同時に、第２開口部２６の凹部２２縁に沿った中央部及び左右の保護カバー固定穴２８それぞれ挿入して係止させる。
これにより、保護カバー７が下ケース２底面に装着状態となる。
【００２１】
以上の通り、電子辞書において、機器本体１の下ケース２の底面に保護カバー７を装着する際には、電池蓋５を外してから、開口部２５に電池収納部２１のみを覆う第２電池蓋６を装着する。
その後、第２電池蓋６と開口部２５の凹部２２縁との間に形成される第２開口部２６にフックプレート８の取付フック８１・８２で固定して保護カバー７を装着する。
【００２２】
以上、実施形態の保護カバー７の取付構造によれば、下ケース２の開口部２５及び第２電池蓋６を利用して保護カバー７を取り付けることができるので、保護カバー７を装着しない状態でも下ケース２底面の外観が低下しない。
【００２３】
（変形例）
以上の実施形態においては、電子辞書としたが、本発明はこれに限定されるものではなく、携帯電話など他の電子機器であってもよい。
また、実施形態では、電池蓋としたが、他の蓋部材であってもよい。
さらに、本体、蓋部材及び保護カバーの形状等も任意であり、その他、固定部及び取付部の形状など具体的な細部構造等についても適宜に変更可能であることは勿論である。
【００２４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
開口部に着脱可能に装着される蓋部材を備える本体に対する保護カバーの取付構造であって、
前記蓋部材より外形が小さい第２蓋部材を前記開口部に着脱可能に取り付け、
前記開口部に取り付けた前記第２蓋部材と前記開口部との間に形成される第２開口部を利用して前記保護カバーを着脱可能に取り付けることを特徴とする保護カバーの取付構造。
＜請求項２＞
開口部に着脱可能に装着される蓋部材を備える本体に対し取り付けられる保護カバーであって、
前記開口部に着脱可能に取り付けられた前記蓋部材より外形が小さい第２蓋部材と前記開口部との間に形成される第２開口部を利用して着脱可能に取り付けられることを特徴とする保護カバー。
＜請求項３＞
本体の開口部に着脱可能に装着される蓋部材より外形が小さくて、前記開口部に着脱可能に取り付けられ、且つ取り付けた状態で前記開口部との間に第２開口部を形成することを特徴とする蓋部材。
＜請求項４＞
開口部を有する本体と、
前記開口部に着脱可能に装着される蓋部材と、
前記蓋部材より外形が小さくて、前記開口部に着脱可能に取り付けられる第２蓋部材と、
前記開口部に取り付けた前記第２蓋部材と前記開口部との間に形成される第２開口部を利用して着脱可能に取り付けられる前記保護カバーと、を備えることを特徴とする電子機器。
＜請求項５＞
前記開口部の内方に、前記第２蓋部材を着脱可能に固定する固定部が設けられていることを特徴とする請求項１に記載の保護カバーの取付構造、または請求項４に記載の電子機器。
＜請求項６＞
前記第２蓋部材に、前記固定部に着脱可能に取り付ける取付部が設けられていることを特徴とする請求項５に記載の保護カバーの取付構造、または電子機器。
＜請求項７＞
前記保護カバーに、前記第２開口部に対し着脱可能に取り付ける取付部が設けられていることを特徴とする請求項１に記載の保護カバーの取付構造、または請求項２に記載の保護カバー。
＜請求項８＞
前記取付部は、前記第２開口部を形成する前記第２蓋部材と前記開口部の各々の端部にそれぞれ係止するフックであることを特徴とする請求項７に記載の保護カバーの取付構造、または保護カバー。
＜請求項９＞
前記第２開口部に対し着脱可能に取り付ける取付部が設けられていることを特徴とする請求項２に記載の保護カバー、または請求項４に記載の電子機器。
＜請求項１０＞
前記取付部は、前記第２開口部を形成する前記第２蓋部材と前記開口部の各々の端部にそれぞれ係止するフックであることを特徴とする請求項９に記載の保護カバー、または電子機器。
＜請求項１１＞
前記開口部の内方に設けられた固定部に着脱可能に取り付ける取付部が設けられていることを特徴とする請求項３に記載の蓋部材。
【符号の説明】
【００２５】
１  本体
２  下ケース
２１  電池収納部
２２  凹部
２３  蓋固定部
２４  第２蓋固定部
２５  開口部
２６  第２開口部
２８  保護カバー固定部
３  上ケース
４  ヒンジ部
５  蓋部材
５１  足部
５３  取付部
６  第２蓋部材
６１  足部
６４  取付部
７  保護カバー
８  フックプレート
８１  取付部
８２  取付部
【図１】
2015118508.tif 000003
【図２】
2015118508.tif 000004
【図３】
2015118508.tif 000005
【図４】
2015118508.tif 000006
【図５】
2015118508.tif 000007
【図６】
2015118508.tif 000008
【図７】
2015118508.tif 000009
【図８】
2015118508.tif 000010
【図９】
2015118508.tif 000011
【図１０】
2015118508.tif 000012